(57)【特許請求の範囲】
【請求項１】
ペットに繋がれる紐もしくはワイヤ等を介してペットを保持するようにしたペット保持用グリップであって、
通常のタングプレートのほかに車載シートベルトに付加して設けたペット保持用グリップ専用のタングプレートを含み、
上記ペット保持用グリップ専用のタングプレートと係脱可能なバックルをグリップ本体に内蔵し、該バックルに該ペット保持用グリップ専用のタングプレートを装着して車室内でペットを保持するシートベルトを構成することを特徴とするペット保持用グリップ。
【請求項２】
前記グリップ本体の適所に照明装置を具備したことを特徴とする、請求項１に記載のペット保持用グリップ。
【請求項３】
前記ペット保持用グリップ専用のタングプレートが前記シートベルトに着脱自在に設けられていることを特徴とする、請求項１または２に記載のペット保持用グリップ。
【発明の詳細な説明】
【０００１】
【発明の属する技術分野】
本発明は、乗用車等の車両において犬等のペットを車室内に乗せるために使用するペット保持用グリップに関する。
【０００２】
【従来の技術】
従来、この種の車両において犬等のペットを車室内に乗せるために、たとえば図４に示されるようなバスケット１００が使用される。図示のようにペットをバスケット１００内に入れ、このバスケット１００を車室内の適所に置いてペットを乗せるというものである。一方、ペットを散歩させる際、そのペットに繋いだ紐もしくはワイヤ等が接続されるグリップを使用し、このグリップにてペットを保持するものが知られている。
【０００３】
【発明が解決しようとする課題】
しかしながら、乗用車等における乗員に対するシートベルトと同様に、ペットに対してシートベルト機能を有するグリップは知られていない。
【０００４】
本発明は以上の点に鑑み、車室内で有効にかつ効果的に適用可能なペット保持用グリップを提供することを目的とする。
【０００５】
【課題を解決するための手段】
本発明のペット保持用グリップは、ペットに繋がれる紐もしくはワイヤ等を介してペットを保持するようにしたペット保持用グリップであって、通常のタングプレートのほかに車載シートベルトに付加して設けたペット保持用グリップ専用のタングプレートを含み、このペット保持用グリップ専用のタングプレートと係脱可能なバックルをグリップ本体に内蔵し、このバックルにペット保持用グリップ専用のタングプレートを装着して車室内でペットを保持するシートベルトを構成することを特徴とする。
【０００６】
本発明のペット保持用グリップにおいて、好ましくは、前記グリップ本体の適所に照明装置を具備している。
【０００７】
また、本発明のペット保持用グリップにおいて、好ましくは、専用のタングプレートは前記シートベルトに着脱自在に設けられる。
【０００８】
本発明によれば、車載シートベルトのタングプレートと係脱可能なバックルをグリップ本体に内蔵し、このバックルにタングプレートを装着して車室内でペットを保持するシートベルトとしての機能を実現することができる。なお、このグリップは、シートベルトから取り外して、通常の散歩用グリップとして使用することができる。
【０００９】
【発明の実施の形態】
以下、図面に基き、本発明によるペット保持用グリップの好適な実施の形態を説明する。
図１はこの実施形態における概略構成を示している。グリップ１０は、犬等のペットに繋がれた紐もしくはワイヤ１を介してペットを保持するようになっている。そして、特に車載のシートベルト２のタングプレート３と係脱可能なバックル１２をグリップ本体１１に内蔵し、このバックル１２にタングプレート３を装着して車室内でペットを保持するシートベルトを構成する。
【００１０】
図２は、グリップ１０の具体的構成例を示している。グリップ本体１１はケーシングもしくはハウジング１１Ａおよび１１Ｂからなり、一端側に握り易く形成された把持部１１ａを有する。バックル１２は固定バンド１３によって、たとえばハウジング１１Ａ側に締結固定される。また、グリップ本体１１の先端側には紐もしくはワイヤ１が接続される接続片１４が設けられる。
【００１１】
さらに、本実施の形態では、グリップ本体１１の適所に照明装置が具備されている。この照明装置は、グリップ本体１１の先端部付近に装着される光源ランプ１５と、電源としての小型バッテリ１６と、光源ランプ１５をオン・オフ制御するスイッチ１７を含む。光源ランプ１５としてはＬＥＤ等を使用することができ、スイッチ１７はインナスイッチ１７ａおよびアウタスイッチ１７ｂにより構成される押しボタン式ものであってよい。これらの部品は、ビス等を使ってグリップ本体１１内に配置固定される。
【００１２】
上記構成において、グリップ１０に内蔵されたバックル１２に、シートベルト２のタングプレート３を装着することにより、車室内でペットを保持するペット用シートベルトとしての機能を実現することができる。このようにグリップ１０を介してシートベルト２にペットを繋ぐことで、車両走行時にペットの安全性な搭載が可能となる。その際、バックル１２にタングプレート３を装着するだけの簡単な作業で済むため、取扱いが極めて容易である。
【００１３】
一方、グリップ１０をシートベルト２から取り外して、屋外で通常の散歩用グリップとして使用することができる。また、グリップ本体１１に設けた照明装置を適宜点消灯することができる。照明装置を点灯させることで、夜間の散歩でも安全に行なうことができ、あるいはまたドア等の鍵穴等を探す場合に使用することができるため極めて便利である。
【００１４】
ここで、図３に示すように、シートベルト２は、通常のタングプレート３のほかに、バックル１２と係合する専用のタングプレート２０を付加構成することもできる。この場合、タングプレート２０をシートベルト２に着脱自在に設けることができる。このような専用のタングプレート２０を持つことで、いずれの車種に対しても適用可能な汎用性のあるグリップ１０とすることができる。
【００１５】
以上、本発明の好適な実施の形態について説明したが、本発明は実施形態にのみ限定されるものでなく、本発明の範囲内で適宜変更等が可能である。たとえばグリップ本体１１の具体的形状等は必要に応じて、大きさ寸法を設定することができる。
【００１６】
【発明の効果】
以上説明したように本発明によれば、この種のグリップにおいてグリップ本体に内蔵したバックルにタングプレートを装着して車室内でペットを保持するシートベルトとしての機能を実現することができる。これによりペットの安全性を高めることができることに加え、従来のバスケット等を必要としないためコストや取扱いの点で極めて有利である。
【図面の簡単な説明】
【図１】本発明の実施形態における概略構成を示す斜視図である。
【図２】本発明の実施形態における具体的構成を示す斜視図である。
【図３】本発明の実施形態における変形例を示す斜視図である。
【図４】従来例を示す斜視図である。
【符号の説明】
１      ワイヤ
２      シートベルト
３      タングプレート
１０    グリップ
１１    グリップ本体
１１ａ      把持部
１２    バックル
１３    固定バンド
１４    接続片
１５    光源ランプ
１６    小型バッテリ
１７    スイッチ
【図１】
0003879097.tif 000002
【図２】
0003879097.tif 000003
【図３】
0003879097.tif 000004
【図４】
0003879097.tif 000005